(57)【要約】      （修正有）【課題】車載ナイトビジョンやセキュリティシステム等の夜間の生体検知に用いられる、生体から発せられる波長約８〜１４μｍの赤外線を感知するためのセンサに必要な、当該波長範囲の赤外線を透過するフィルターやレンズ等の光学素子に有用な、耐候性に優れ、赤外線センサの光学素子として好適なカルコゲナイドガラス材の提供。【解決手段】モル％で、Ｔｅを２０〜９９％、好ましくは、４０〜９５％、Ｇｅを０〜４０％、Ｇａを０〜３０％を含有し、表面に低屈折率層と高屈折率層が交互に合計２層以上積層されている反射防止膜が形成されている、カルコゲナイドガラス材。【選択図】なし【特許請求の範囲】
【請求項１】
モル％で、Ｔｅ  ２０〜９９％を含有し、表面に反射防止膜が形成されていることを特徴とするカルコゲナイドガラス材。
【請求項２】
モル％で、Ｔｅ  ４０〜９５％を含有することを特徴とする請求項１に記載のカルコゲナイドガラス材。
【請求項３】
さらに、モル％で、Ｇｅ  ０〜４０％を含有することを特徴とする請求項１又は２に記載のカルコゲナイドガラス材。
【請求項４】
さらに、モル％で、Ｇａ  ０〜３０％を含有することを特徴とする請求項１〜３のいずれかに記載のカルコゲナイドガラス材。
【請求項５】
反射防止膜が、低屈折率層と高屈折率層が交互に合計２層以上積層されていることを特徴とする請求項１〜４のいずれかに記載のカルコゲナイドガラス材。
【請求項６】
請求項１〜５のいずれかに記載のカルコゲナイドガラス材を用いることを特徴とする光学素子。
【請求項７】
請求項６に記載の光学素子を用いることを特徴とする赤外線センサ。
【発明の詳細な説明】
【技術分野】
【０００１】
本発明は、赤外線センサ、赤外線カメラ等に使用されるカルコゲナイドガラス材に関する。
【背景技術】
【０００２】
車載ナイトビジョンやセキュリティシステム等は、夜間の生体検知に用いられる赤外線センサを備えている。赤外線センサは、生体から発せられる波長約８〜１４μｍの赤外線を感知するため、センサ部の前には当該波長範囲の赤外線を透過するフィルターやレンズ等の光学素子が設けられる。
【０００３】
上記のような光学素子用の材料として、ＧｅやＺｎＳｅが挙げられる。これらは結晶体であるため加工性に劣り、非球面レンズ等の複雑な形状に加工することが困難である。そのため量産しにくく、また赤外線センサの小型化も困難であるという問題がある。
【０００４】
そこで、波長約８〜１４μｍの赤外線を透過し、加工が比較的容易なガラス質の材料として、カルコゲナイドガラスが提案されている。（例えば特許文献１参照）
【先行技術文献】
【特許文献】
【０００５】
【特許文献１】特開２００９−１６１３７４号公報
【発明の概要】
【発明が解決しようとする課題】
【０００６】
しかしながら、特許文献１に記載のガラスは、波長１０μｍ以上で赤外線透過率が顕著に低下しているため、特に生体から発せられる赤外線に対する感度に劣り、赤外線センサが十分に機能しないおそれがある。さらに、前記ガラスは、耐候性が低いため変質し、赤外線透過率が低下するという問題がある。
【０００７】
本発明は、このような状況に鑑みてなされたものであり、耐候性に優れ、赤外線センサの光学素子として好適なカルコゲナイドガラス材を提供することを目的とする。
【課題を解決するための手段】
【０００８】
本発明のカルコゲナイドガラス材は、モル％で、Ｔｅ  ２０〜９９％を含有し、表面に反射防止膜が形成されていることを特徴とする。
【０００９】
本発明のカルコゲナイドガラス材は、必須成分としてＴｅを含有させているため、赤外線透過率に優れている。また、表面に反射防止膜が形成されているため、赤外光の反射を抑制することができ、赤外線透過率をより高めることができる。さらに、表面に反射防止膜が形成されていると、ガラスが空気中の水分や酸素と反応し変質することを抑制できるため、耐候性に優れている。
【００１０】
本発明のカルコゲナイドガラス材は、モル％で、Ｔｅ  ４０〜９５％を含有することが好ましい。
【００１１】
本発明のカルコゲナイドガラス材は、さらに、モル％で、Ｇｅ  ０〜４０％を含有することが好ましい。
【００１２】
本発明のカルコゲナイドガラス材は、さらに、モル％で、Ｇａ  ０〜３０％を含有することが好ましい。
【００１３】
本発明のカルコゲナイドガラス材は、反射防止膜が、低屈折率層と高屈折率層が交互に合計２層以上積層されていることが好ましい。
【００１４】
本発明の光学素子は、上記のカルコゲナイドガラス材を用いることを特徴とする。
【００１５】
本発明の赤外線センサは、上記の光学素子を用いることを特徴とする。
【発明の効果】
【００１６】
本発明によれば、耐候性に優れ、赤外線センサの光学素子として好適なカルコゲナイドガラス材を提供することができる。
【発明を実施するための形態】
【００１７】
本発明のカルコゲナイドガラス材は、表面に反射防止膜が形成されている。上述した通り、表面に反射防止膜が形成されていると、赤外線透過率、耐候性を向上させることができる。
【００１８】
まず、反射防止膜について説明する。
【００１９】
反射防止膜は、低屈折率層と高屈折率層が交互に合計２層以上、２〜３４層、特に４〜１２層積層されていることが好ましい。積層数が少なすぎると赤外光を透過しにくくなる。一方、積層数が多すぎると成膜に要する工程が多くなり高コスト化の要因となる傾向がある。なお、低屈折率層及び高屈折率層の組合わせに制限は無く、高屈折率層の屈折率が低屈折率層の屈折率より相対的に大きければよい。
【００２０】
屈折率層の１層当りの厚みは、０．０１〜１０μｍ、０．０２〜５μｍ、特に０．０３〜２μｍが好ましい。１層当たりの厚みが小さすぎると赤外光を透過しにくくなる。一方、厚みが大きすぎると、反射防止膜とカルコゲナイドガラス材の界面にかかる応力が大きくなり、膜の密着性、ガラス材の機械的強度が低下しやすくなる。
【００２１】
屈折率層の材質は、金属酸化物（Ｙ２Ｏ３、Ａｌ２Ｏ３、ＳｉＯ、ＳｉＯ２、ＭｇＯ、ＴｉＯ、ＴｉＯ２、Ｔｉ２Ｏ３、ＣｅＯ２、Ｂｉ２Ｏ３、ＨｆＯ２）、水素化炭素、ダイヤモンドライクカーボン（ＤＬＣ）、Ｇｅ、Ｓｉ、ＺｎＳ、ＺｎＳｅ、Ａｓ２Ｓ３、Ａｓ２Ｓｅ３、ＰｂＦ２、テルル化金属、フッ化金属が好ましい。なお、耐候性、機械的強度をより向上させるためには、金属酸化物、水素化炭素、ダイヤモンドライクカーボン（ＤＬＣ）を最外層にすることが好ましい。また、密着性をより向上するためには、金属酸化物を中間層にすることが好ましい。なお、屈折率層の材質は、樹脂でもよく、例えばオレフィン系樹脂等を用いることができる。
【００２２】
次に、本発明のカルコゲナイドガラス材の組成について説明する。なお、以下の各成分の含有量に関する説明において、特に断りのない限り、「％」は「モル％」を意味する。
【００２３】
本発明のカルコゲナイドガラス材は、Ｔｅを必須成分として含有する。カルコゲン元素であるＴｅはガラス骨格を形成し、赤外線透過率を高める成分である。Ｔｅの含有量は、２０〜９９％であり、４０〜９５％、５０〜８５％、６０〜８５％、特に７０〜８０％であることが好ましい。Ｔｅの含有量が少なすぎると、ガラス化しにくくなり、赤外線透過率が低下しやすくなる。一方、Ｔｅの含有量が多すぎるとガラスの熱安定性が低下しやすく、Ｔｅ系の結晶が析出しやすくなる。ちなみに、他のカルコゲン元素Ｓｅ、Ｓは、Ｔｅより赤外線透過率を向上させにくく、赤外透過限界波長が短くなりやすい。
【００２４】
上記成分以外にも、以下に示す種々の成分を含有させることができる。
【００２５】
Ｇｅは赤外線透過率を低下させることなく、ガラス化範囲を広げ、ガラスの熱安定性を高める成分である。Ｇｅの含有量は、０〜４０％、１〜３５％、５〜３０％、７〜２５％、特に１０〜２０％であることが好ましい。Ｇｅの含有量が多すぎると、Ｇｅ系の結晶が析出しやすくなるとともに、原料コストが高くなる傾向がある。
【００２６】
Ｇａは赤外線透過率を低下させることなく、ガラス化範囲を広げ、ガラスの熱安定性を高める成分である。Ｇａの含有量は、０〜３０％、１〜３０％、３〜２５％、４〜２０％、特に５〜１５％であることが好ましい。Ｇａの含有量が多すぎると、Ｇａ系の結晶が析出しやすくなるとともに、原料コストが高くなる傾向がある。
【００２７】
Ａｇはガラス化範囲を広げ、ガラスの熱安定性を高める成分である。Ａｇの含有量は０〜２０％、特に１〜１０％であることが好ましい。Ａｇの含有量が多すぎると、ガラス化しにくくなる。
【００２８】
Ａｌはガラス化範囲を広げ、ガラスの熱安定性を高める成分である。Ａｌの含有量は０〜２０％、特に０〜１０％であることが好ましい。Ａｌの含有量が多すぎると、ガラス化しにくくなる。
【００２９】
Ｓｎはガラス化範囲を広げ、ガラスの熱安定性を高める成分である。Ｓｎの含有量は０〜２０％、特に０〜１０％であることが好ましい。Ｓｎの含有量が多すぎると、ガラス化しにくくなる。
【００３０】
次に、本発明のカルコゲナイドガラス材の製造方法について説明する。
【００３１】
上記のガラス組成となるように、原料を混合し、原料バッチを得る。次に、石英ガラスアンプルを加熱しながら真空排気した後、原料バッチを入れ、真空排気を行いながら酸素バーナーで石英ガラスアンプルを封管する。
【００３２】
原料としては、元素原料（Ｔｅ、Ｇｅ、Ｇａ等）を用いてもよく、化合物原料（ＧｅＴｅ、ＧｅＴｅ２、Ｇａ２Ｔｅ３等）を用いても良い。また、これらを併用することも可能である。
【００３３】
次に、封管された石英ガラスアンプルを溶融炉内で１０〜８０℃／時間の速度で６５０〜１０００℃まで昇温後、６〜１２時間保持する。保持時間中、必要に応じて、石英ガラスアンプルの上下を反転し、溶融物を攪拌する。
【００３４】
その後、石英ガラスアンプルを溶融炉から取り出し、室温まで急冷することによりガラス母材を得る。
【００３５】
続いて、得られたガラス母材を所定形状（円盤状、レンズ状等）に加工する。
【００３６】
所定形状に加工したガラス母材の片面又は両面に、反射防止膜を形成させカルコゲナイドガラス材を得る。反射防止膜の形成方法としては、真空蒸着法、イオンプレーティング法、スパッタリング法等が挙げられる。
【００３７】
なお、ガラス母材に反射防止膜を形成した後、ガラス母材を所定形状に加工しても構わない。ただし、加工工程において反射防止膜の剥離が生じやすくなるため、特段の事情がない限り、ガラス母材を所定形状に加工した後に、反射防止膜を形成することが好ましい。
【００３８】
本発明のカルコゲナイドガラス材は、厚み２ｍｍでの波長８〜１４μｍにおける平均赤外線透過率が８０％以上、８５％以上、特に９０％以上であることが好ましい。平均赤外線透過率が低すぎると、赤外線センサ用として使用した場合に十分に機能しないおそれがある。
【００３９】
本発明のカルコゲナイドガラス材は、赤外線透過率、耐候性に優れるため、赤外線センサのセンサ部を保護するためのカバー部材や、赤外線センサ部に赤外光を集光させるためのレンズ等の光学素子として好適である。
【実施例】
【００４０】
以下、本発明を実施例に基づいて説明するが、本発明はこれらの実施例に限定されるものではない。
【００４１】
表１及び２は、本発明の実施例（試料Ｎｏ．１〜１０）及び比較例（試料Ｎｏ．１１、１２）を示している。
【００４２】
【表１】
2019048752.tif 000002
【００４３】
【表２】
2019048752.tif 000003
【００４４】
表１及び２に示すガラス組成になるように原料を調合し、原料バッチを得た。次に、純水で洗浄した石英ガラスアンプルを加熱しながら真空排気した後、原料バッチを入れ、真空排気を行いながら酸素バーナーで石英ガラスアンプルを封管した。封管された石英ガラスアンプルを溶融炉内で１０〜８０℃／時間の速度で６５０〜１０００℃まで昇温後、６〜１２時間保持した。保持時間中、２時間ごとに石英ガラスアンプルの上下を反転し、溶融物を攪拌した。その後、石英ガラスアンプルを溶融炉から取り出し、室温まで急冷することによりガラス母材を得た。
【００４５】
得られたガラス母材を切削、研磨することにより、直径１５ｍｍ、厚み２ｍｍの円盤状に加工した後、両面を光学研磨した。光学研磨後のガラス母材に、真空蒸着法にて表１及び２に示す構成の反射防止膜を全面に形成し、カルコゲナイドガラス材を得た。なお、反射防止膜に関しては、表１及び２に記載の通り、ガラス材側から第１層、第２層、第３層、第４層、第５層、第６層、第７層、第８層、第９層、第１０層、第１１層、第１２層、第１３層の順に成膜を行った。
【００４６】
得られた試料について、平均赤外線透過率、耐候性を測定または評価した。結果を表１、２に示す。
【００４７】
波長８〜１４μｍにおける平均赤外線透過率は、ＦＴ−ＩＲ（フーリエ変換赤外分光光度計）にて測定した。
【００４８】
耐候性は次のようにして評価した。得られた試料を６０℃−９０Ｒｈ％の恒温恒湿層内に５００時間保持した。保持後の試料の波長８〜１４μｍにおける平均赤外線透過率をＦＴ−ＩＲにて測定した。保持前後で平均赤外線透過率が変化しなかったものを「○」、変化したものを「×」とした。
【００４９】
表１、２から明らかなように、実施例１〜１０の試料は、平均赤外線透過率が９４％以上と高く、耐候性にも優れていた。一方、比較例１は、反射防止膜が形成されていないため、平均赤外線透過率が５２％と低く、耐候性にも劣っていた。比較例２は、Ｔｅを含有していないため平均赤外線透過率が６８％と低かった。
【産業上の利用可能性】
【００５０】
本発明のカルコゲナイドガラス材は、赤外線センサのセンサ部を保護するためのカバー部材や、赤外線センサ部に赤外光を集光させるためのレンズ等の光学素子として好適である。